(57)【要約】      （修正有）【課題】多規格の結合部材に対してツールヘッドを交換することなしに適用することが可能な手工具構造を提供する。【解決手段】手工具構造は、工具延長棒の先端に、主ツールヘッドが着設され、主ツールヘッドに、スプリング、位置決め玉、磁性部、位置決め棒及び副ツールヘッドが設置される。主ツールヘッドは、先端に嵌設口が形成され、周縁の一方に、摺動溝が設けられ、該摺動溝の裏側に、収納室と当接縁が形成される。副ツールヘッドは、中央に、収納溝が貫設され、周縁の一方に、貫通孔が形成され、収納溝の内側壁の裏側に、係止溝が形成される。副ツールヘッドは、位置決め棒とともに、摺動溝を利用して変位する。【選択図】図２
0003156224.tif 000002
【実用新案登録請求の範囲】
【請求項１】
工具延長棒の先端に、主ツールヘッドが着設され、上記主ツールヘッドに、スプリング、位置決め玉、位置決め棒及び副ツールヘッドが設置された多規格の結合部材に対して使用可能な手工具構造であって、
上記主ツールヘッドが、多辺形状で、その先端の中央に、結合部材を嵌設するための嵌設口が形成され、上記主ツールヘッドの周縁の相対辺に、それぞれ、長楕円形で、上記嵌設口と連通する摺動溝が形成され、上記摺動溝の裏側に、収納室と当接縁が形成され、
上記スプリングと上記位置決め玉とが、順に上記主ツールヘッドの収納室に収納され、スプリング自体の弾力により、上記位置決め玉が、外方へ付勢され、
上記副ツールヘッドの中央に、上記主ツールヘッドに適合する形状の収納溝が貫設され、周縁の一部に、貫通孔が形成され、上記収納溝の内側壁の裏側に、リング状に、係止溝が形成され、上記副ツールヘッドが、上記収納溝に位置して、上記主ツールヘッドに嵌設された時、上記貫通孔と上記摺動溝とが対向し、上記位置決め棒を貫設することにより、上記主ツールヘッドと上記副ツールヘッドが結合され、上記スプリングと上記位置決め玉が、上記副ツールヘッドによって係止されるため、外方へ脱離することなく、そして、上記摺動溝が、長楕円形であるため、上記副ツールヘッドが嵌設される時、その外部から力を加えて、上記副ツールヘッドが、上記位置決め棒とともに、上記摺動溝を利用して変位する、
ことを特徴とする多規格の結合部材に対して使用可能な手工具構造。
【請求項２】
上記主ツールヘッドの嵌設口内に、上記位置決め棒が結合されることにより、その先端に、磁石を有する磁性部が組立てられてなることを特徴とする請求項１に記載の手工具構造。
【請求項３】
上記工具延長棒の末端に、工具グリップ部が設けられてなることを特徴とする請求項１に記載の手工具構造。
【請求項４】
上記主ツールヘッドと上記工具延長棒とが、一体成型されてなることを特徴とする請求項１に記載の手工具構造。
【請求項５】
上記主ツールヘッドと上記工具延長棒とが、分離可能に形成されてなることを特徴とする請求項１に記載の手工具構造。
【請求項６】
上記主ツールヘッド、上記摺動溝、上記副ツールヘッドの規格サイズが、必要に応じて伸長し、上記主ツールヘッド及び副ツールヘッドの嵌設口と上記収納溝とに結合部材を貫設するためのより深い空間を提供し、使用安定性を向上させてなることを特徴とする請求項１に記載の手工具構造。
【考案の詳細な説明】
【技術分野】
【０００１】
本考案は、多規格の結合部材に対して使用可能な手工具構造に関するものであり、さらに詳しくは、主ツールヘッドに副ツールヘッドが嵌設されてなり、種々の規格を有し、多種類の規格サイズの結合部材に対して適用でき、使用可能な手工具構造に関するものである。
【背景技術】
【０００２】
既存の交換式手工具構造には、ツールヘッドの交換可能な様々のものが提案されている。例えば、一つの工具グリップ部に、多種類の規格のツールヘッドが適用できるものであるが、該構造のツールヘッドは、特定の規格を有するものであり、また、一つのツールヘッドは、通常、一つの結合部材のみにしか適用できない。
【０００３】
従って、一つの部品や品物に、同時に、多種類の結合部材が設けられている場合、または、多種類の結合部材に対して使用に適用する場合、適合するツールヘッドに交換せざるを得ず、かかるツールヘッドを交換するために、相当な時間を要するという問題点がある。また、該ツールヘッドに、所定の規格しか適用できないため、同時に、大量のツールヘッドを用意しなければならないことから、携帯便利性に欠けるものであって、実用的とは言えないという難点がある。
【０００４】
かかる状況のもとで、多種類の結合部材を有する物品及び部品に対して、ツールヘッドを交換せずに使用が可能であり、携帯便利性に優れた多規格の結合部材に使用可能な手工具構造の開発が切望されてきた。
【考案の開示】
【考案が解決しようとする課題】
【０００５】
従って、本考案の主な課題は、ツールヘッドが種々の規格を有し、多種類の結合部材に応じて、手順性よく利用できる多規格の結合部材に使用可能な手工具構造を提供する点にある。
【０００６】
また、本考案の他の課題は、手工具の使用に際して、用意する種々の規格を有するツールヘッドの数量を減少させることができ、保管空間の節約と共に、携帯便利性を向上させることができる多規格の結合部材に対して使用可能な手工具構造を提供する点にある。
【課題を解決するための手段】
【０００７】
そこで、本考案者は、上記の問題点を解消し、上記の本考案の課題を解決するため、鋭意検討を重ねたところ、手工具の先端部に、種々の規格の結合部材との結合可能な特定の二種のツールヘッドを備えた手工具を用いることにより、上記問題点を解消することができ、上記の本考案の課題を解決できることを見い出し、かかる知見に基いて本考案を想到するに至った。
【０００８】
かくして、本考案によれば、
請求項１において、
工具延長棒の先端に、主ツールヘッドが着設され、上記主ツールヘッドに、スプリング、位置決め玉、位置決め棒及び副ツールヘッドが設置される多規格の結合部材に対して使用可能な手工具構造であって、
上記主ツールヘッドが、多辺形状で、その先端の中央に、結合部材を嵌設するための嵌設口が形成され、上記主ツールヘッドの周縁の相対辺に、それぞれ、長楕円形で、嵌設口と連通する摺動溝が形成され、上記摺動溝の裏側に、収納室と当接縁が形成され、
上記スプリングと上記位置決め玉とが、順に上記主ツールヘッドの収納室に収納され、スプリング自体の弾力により、上記位置決め玉が、外方へ付勢され、
上記副ツールヘッドの中央に、主ツールヘッドに適合する形状の収納溝が貫設され、周縁の一部に、貫通孔が形成され、上記収納溝の内側壁の裏側に、リング状に、係止溝が形成され、上記副ツールヘッドが、上記収納溝に位置して、上記主ツールヘッドに嵌設された時、上記貫通孔と上記摺動溝とが対向し、上記位置決め棒を貫設することにより、上記主ツールヘッドと上記副ツールヘッドが、結合され、上記スプリングと上記位置決め玉が、上記副ツールヘッドによって係止されるため、外方へ脱離することなく、そして、上記摺動溝が、長楕円形であるため、上記副ツールヘッドが嵌設される時、その外部から力を加えて、上記副ツールヘッドが、上記位置決め棒とともに、上記摺動溝を利用して変位することを特徴とする多規格の結合部材に対して使用可能な手工具構造
が提供される。
【０００９】
請求項２に係る考案によれば、
上記主ツールヘッドの嵌設口内に、上記位置決め棒が結合されることにより、先端に、磁石を有する磁性部分が組立てられることを特徴とする請求項１に記載の手工具構造
が提供される。
【００１０】
請求項３に係る考案によれば、
上記工具延長棒の末端に、工具グリップ部が設けられることを特徴とする請求項１に記載の手工具構造
が提供される。
【００１１】
請求項４に係る考案によれば、
上記主ツールヘッドと上記工具延長棒とが、一体成型されることを特徴とする請求項１に記載の手工具構造
が提供される。
【００１２】
請求項５に係る考案によれば、
上記主ツールヘッドと上記具延長棒とが、分離可能に形成されることを特徴とする請求項１に記載の手工具構造
が提供される。
【００１３】
請求項６に係る考案によれば、
上記主ツールヘッド、上記摺動溝、上記副ツールヘッドの規格サイズが、必要に応じて伸長し、上記主ツールヘッド及び上記副ツールヘッドの嵌設口と上記収納溝とに結合部材を貫設するためのより深い空間を提供し、使用安定性を向上させてなることを特徴とする請求項１に記載の手工具構造
が提供される。
【考案の効果】
【００１４】
本考案によれば、上記の如き構成に基いて、主ツールヘッド及び副ツールヘッドが異なる規格を有するため、種々の規格サイズを有する結合部材に対して、ツールヘッドを交換することなく、使用することができるので、作業能率上、優れた手工具を提供することができる。
【００１５】
また、かかる手工具の使用に際しては、多種の規格のツールヘッドを用意する必要がなく、保管場所の節減と共に、携帯便利性においても顕著な効果を奏する。
【考案を実施するための最良の形態】
【００１６】
以下、図面を参照しながら、本考案について、さらに詳しく説明する。もっとも、それらの図面等は、参考や説明のためであり、本考案は、それらによって限定されるものではない。
【００１７】
図１と図２を参照しながら、本考案に係る手工具構造について具体的に説明する。
【００１８】
本考案に係る手工具構造は、工具延長棒１０の先端に、主ツールヘッド２０が着設され、該主ツールヘッド２０と、スプリング３０及び位置決め玉３１、磁性部４０、位置決め棒５０及び副ツールヘッド６０から構成される。
【００１９】
工具延長棒１０の末端を、異なる工具グリップ部１１に結合することができ、該手工具は、ねじ回し（図１のように）、及びＴ型スパナ（図５のように）等の構造として、使用することができる。
【００２０】
主ツールヘッド２０は、断面が多辺形状で、先端の中央に、結合部材を嵌設するための嵌設口２１が設けられてある。また、周縁の相対辺に、それぞれ、長楕円形で、嵌設口２１と連通する摺動溝２２が形成され、該摺動溝２２に隣接して、収納室２３と当接縁２４が形成される。
【００２１】
スプリング３０と位置決め玉３１とは、順に主ツールヘッド２０の収納室２３に収納され、スプリング３０自身の弾力により、位置決め玉３１が、外方へ付勢される。
【００２２】
磁性部４０は、先端に、磁石４１が結合され、周縁の一方に、貫通孔４２が形成される。また、該磁性部４０が、貫通孔４２と摺動溝２２とが対向するように、主ツールヘッド２０の嵌設口２１内に嵌挿される。
【００２３】
副ツールヘッド６０には、中央に、主ツールヘッド２０に一致する外形で、やや大きい収納溝６１が貫設され、周縁の一部に、貫通孔６２が形成される。
【００２４】
収納溝６１の内側壁の裏側に、リング状に、係止溝６３が形成され、上記副ツールヘッド６０が、収納溝６１に位置して、主ツールヘッド２０に嵌設される時、貫通孔６２と貫通孔４２及び摺動溝２２が対向し、位置決め棒５０を貫設することにより、主ツールヘッド２０と磁性部４０及び副ツールヘッド６０が結合される。また、スプリング３０と位置決め玉３１が、副ツールヘッド６０によって係止されるため、外部へ脱離することがない。そして、摺動溝２２が、長楕円形であるため、副ツールヘッド６０が嵌設される時、その外部から力を加えて、副ツールヘッド６０を、位置決め棒５０と磁性部４０とともに、上記摺動溝２２を利用して位置を変位することができる。
【００２５】
図３のように、結合部材の規格サイズが比較的に大きい場合、直接に、副ツールヘッド６０の収納溝６１を利用して、該結合部材の多辺形端に嵌設できる。また、工具グリップ部１１により力を加え、同期に、工具延長棒１０と主ツールヘッド２０及び副ツールヘッド６０を連動して回転させ、かかる操作により、該結合部材の締着及び弛緩を行う。
【００２６】
また、図４のように、結合部材の規格サイズが比較的に小さい場合、ユーザーが、副ツールヘッド６０に対して、後方へ向って力を加えることにより、副ツールヘッド６０が、後方へ変位し、位置決め棒５０に連動されて、磁性部４０が主ツールヘッド２０の裏側へ沈み込み、副ツールヘッド６０の裏側端が、主ツールヘッド２０の当接縁２４に接触するまで付勢される。位置決め棒５０が、摺動溝２２の末部にまで変位すると、副ツールヘッド６０が、付勢されなくなり、変位が停止する。また、その先端が、主ツールヘッド２０の先端に一致し、そして、磁性部４０が連動すると、主ツールヘッド２０の裏側へ沈み込むため、主ツールヘッド２０の嵌設口２１内に、比較的に小さい結合部材の多辺形端が嵌設される空間が形成される。かかる操作により、該結合部材の締着及び弛緩を行う。
【００２７】
図３及び図４に示すように、主ツールヘッド２０及び副ツールヘッド６０の間に、スプリング３０と位置決め玉３１が設置されるため、該手工具は、主ツールヘッド２０で、結合部材の締着や弛緩を行うか、副ツールヘッド６０で、結合部材の締着や弛緩を行うかについては、その位置決め玉３１は、スプリング３０の付勢により、それぞれ、副ツールヘッド６０の内側壁や係止溝６３に係止されるので、副ツールヘッド６０は、該係止位置決め力により、該手工具を使用する時、任意に摺動して操作に影響することがない。また、主ツールヘッド２０内に、磁石４１を有する磁性部４０が設置され、該磁性部４０が、主ツールヘッド２０や副ツールヘッド６０を使用することに応じて、後方へ沈み込み、また、前方へ突出するため、結合部材を締着する時及び弛緩する時、ともに、磁性部４０の磁性によって吸引され、そのため、確実に制御でき、脱離することがない。
【００２８】
また、主ツールヘッド２０と工具延長棒１０とを、分離可能に設計しても良いし、工具延長棒１０と工具グリップ部１１とを、分離可能に設計することもできる。これにより、主ツールヘッド２０は、副ツールヘッド６０と同時に交換することができ、また、異なる規格である主ツールヘッド２０及び副ツールヘッド６０の工具延長棒１０を交換することができ、より多種の結合部材に適用することができる。
【００２９】
また、図６のように、その工具延長棒１０の末端に、結合部１２が設けられ、該構造も、電動工具７０に適用できる。また、図７及び図８のように、その主ツールヘッド２０や摺動溝２２及び副ツールヘッド６０の規格サイズは、必要に応じて伸長できる。これにより、主ツールヘッド２０及び副ツールヘッド６０の嵌設口２１と収納溝６１に、より深い空間が形成されて、結合部材や異なる規格の工具連結棒８０（図９のように）が貫設され、また、締着時及び弛緩時の安定性が向上する。そして、より大きい結合面が形成され、締着時、結合部材や工具連結棒８０の角が崩れることを防止することができる。
【００３０】
上記の具体的な実施例による手工具構造によれば、次の利点が得られる。
１．主ツールヘッド２０に、副ツールヘッド６０が嵌設され、上記主ツールヘッド２０及び副ツールヘッド６０が、ともに、異なる規格を有するため、種々の結合部材に適用でき、一つの部品や品物に、同時に、多種類の結合部材が利用される場合でも、容易に適用することが可能である。
２．主ツールヘッド２０に、副ツールヘッド６０が嵌設され、該主ツールヘッド２０及び副ツールヘッド６０が、異なる規格を有するため、使用する際、準備するツールヘッドの数量を減らすことができ、また、保管空間を節約でき、携帯便利性を向上させることができる。
【００３１】
以上の説明から、本考案は、より進歩的かつより実用的であることが明らかであり、法に従って実用新案登録を求める。
【００３２】
また、以上の説明は、本考案のより良い実施例であり、本考案は、それらによって限定されるものではなく、本考案に係わる考案登録請求の範囲や明細書の内容に基づいて行った等価の変更や修正は、全てが、本考案の範囲内に含まれるものであることは明らかである。
【図面の簡単な説明】
【００３３】
【図１】本考案の一実施形態による手工具構造の斜視図である。
【図２】本考案の一実施形態による手工具構造の分解斜視図である。
【図３】本考案の一実施形態による手工具構造において、副ツールヘッドによる結合部材の締着時及び弛緩時の状態を示す断面図である。
【図４】本考案の一実施形態による手工具構造において、後方へ付勢された副ツールヘッドと主ツールヘッドによる結合部材の締着時及び弛緩時の状態を示す図である。
【図５】本考案の一実施形態による手工具構造をＴ型スパナに適用した場合の使用状態を示す図である。
【図６】本考案の一実施形態による手工具構造を電動工具に適用した場合の使用状態を示す図である。
【図７】本考案の一実施形態による手工具構造の主ツールヘッド及び副ツールヘッドの規格サイズが相対的に伸長した状態を示す分解斜視図である。
【図８】本考案の一実施形態による手工具構造の主ツールヘッド及び副ツールヘッドの規格サイズが相対的に伸長した場合の両ツールヘッドの嵌設部分の断面図である。
【図９】本考案の他の実施形態による手工具構造において、異なる規格の工具連結棒を使用する場合を示す状態図である。
【符号の説明】
【００３４】
１０  工具延長棒
１１  工具グリップ部
１２  結合段
２０  主ツールヘッド
２１  嵌設口
２２  摺動溝
２３  収納室
２４  当接縁
３０  スプリング
３１  位置決め玉
４０  磁性部
４１  磁石
４２  貫通孔
５０  位置決め棒
６０  副ツールヘッド
６１  収納溝
６２  貫通孔
６３  係止溝
７０  電動工具
８０  工具連結棒
【図１】
0003156224.tif 000003
【図２】
0003156224.tif 000004
【図３】
0003156224.tif 000005
【図４】
0003156224.tif 000006
【図５】
0003156224.tif 000007
【図６】
0003156224.tif 000008
【図７】
0003156224.tif 000009
【図８】
0003156224.tif 000010
【図９】
0003156224.tif 000011